(57)【要約】【課題】製造コストを抑えることができるパッケージ構造を提供する。【解決手段】収容部材１１に形成された収容部５２の表面５３に製品２を押圧する各突出部８１〜８４，９１，９２は、収容部５２の外側面より内側へ後退するように形成された直線状の各溝１１１〜１１６で構成されており、これらの溝１１１〜１１６は、収容部５２の膨出方向Ｂに延在する。このため、収容部材１１をシート成型する際に、収容部５２の開口方向及び各溝１１１〜１１６の延在方向を金型の抜き方向に設定することで、収容部５２の成型と各突出部８１〜８４，９１，９２の成型とを同時に行うことができる。【選択図】        図２
2009102043.tif 000002
【特許請求の範囲】
【請求項１】
断面円形状の収容物を収容する収容部がパッケージを構成する板状の収容部材に膨出形成されるとともに、前記収容部の開口側の部位に内側へ膨出した対を成す突出部が対向して設けられ、前記両突出部が前記収容物の中心より前記開口側から前記収容物に当接して該収容物を前記収容部の膨出側の面に押圧するように両突出部間の間隙寸法が前記収容物の直径より小さく設定されたパッケージ構造において、
前記収容部の外側面に内側へ後退する直線状の溝を当該収容部の膨出方向に延設して前記両突出部を形成したことを特徴とするパッケージ構造。
【請求項２】
前記収容物は、側面が球面状に形成された球面部を備え、
前記収容部に内側へ膨出した前記突出部を、前記収容物を中心とした左側に設けられた第一左突出部及び第二左突出部と、前記収容物を中心とした右側に設けられた第一右突出部及び第二右突出部で構成するとともに、
前記収容物を上方へ付勢するように前記第一左突出部及び前記第一右突出部を、前記球面部にて直径が最大となる直径最大位置より下側から当接する部位に配置し、前記収容物を下方へ付勢するように前記直径最大位置より上側から当接する部位に前記第二左突出部及び前記第二右突出部を配置したことを特徴とする請求項１記載のパッケージ構造。
【請求項３】
断面円形状の収容物を収容する収容部がパッケージを構成する板状の収容部材に膨出形成されるとともに、前記収容部に内側へ膨出した左突出部及び右突出部が前記収容物を中心とした左側及び右側に対向して設けられ、前記左突出部及び右突出部が前記収容物の側面に当接するように両突出部間の間隙寸法が設定されたパッケージ構造において、
前記収容物は、側面が球面状に形成された球面部を備え、
前記左突出部を第一左突出部及び第二左突出部で構成し、前記右突出部を第一右突出部及び第二右突出部で構成するとともに、
前記収容物を上方へ付勢するように前記第一左突出部及び前記第一右突出部を、前記球面部にて直径が最大となる直径最大位置より下側から当接する部位に配置し、前記収容物を下方へ付勢するように前記直径最大位置より上側から当接する部位に前記第二左突出部及び前記第二右突出部を配置する一方、
前記収容部の外側面に内側へ後退する直線状の溝を当該収容部の膨出方向に延設して前記両左突出部及び前記両右突出部を形成したことを特徴とするパッケージ構造。
【請求項４】
断面円形状の収容物を収容する収容部がパッケージを構成する板状の収容部材に膨出形成されるとともに、前記収容部に内側へ膨出した左突出部及び右突出部が前記収容物を中心とした左側及び右側に対向して設けられ、前記左突出部及び右突出部が前記収容物の側面に当接するように両突出部間の間隙寸法が設定されたパッケージ構造において、
前記収容物は、側面が球面状に形成された球面部を備え、
前記収容物を前記収容部の上方又は下方の壁面へ付勢するように前記左突出部及び前記右突出部を、前記球面部にて直径が最大となる直径最大位置より下側から当接する部位又は上側から当接する部位に配置する一方、
前記収容部の外側面に内側へ後退する直線状の溝を当該収容部の膨出方向に延設して前記両突出部を形成したことを特徴とするパッケージ構造。
【発明の詳細な説明】
【技術分野】
【０００１】
本発明は、製品を収容するパッケージ構造に関する。
【背景技術】
【０００２】
従来、製品を収容する際には、パッケージが使用されている（例えば、特許文献１）。
【０００３】
製品が円筒形の場合、製品の輸送の際や外部からの衝撃により製品が回転してしまい、製品に表示された商標等の表示がさまざまな方向を向いてしまい、商品の見栄えが悪いばかりか、消費者の商品選択の際適切な情報を見せることができないといった問題があった。
【０００４】
このパッケージは、乾電池を収納するブリスタカバーと、該ブリスタカバーの裏面に設けられた台紙とによって構成されており、前記ブリスタカバーには、前記乾電池を収納する収容部が形成されている。
【０００５】
該収容部には、収納される乾電池の中心よりも開口側の部位に、収納される乾電池の直径よりも当該収容部の内径を幅狭にする突起が設けられており、前記収容部からの乾電池の不用意な離脱を防止するとともに、乾電池を前記収容部の表面側に押さえ付けて保持することによって、不用意な回転を防止できるように構成されている。
【特許文献１】特開２０００−２８１１２９号公報
【発明の開示】
【発明が解決しようとする課題】
【０００６】
しかしながら、このような従来のパッケージ構造にあっては、ブリスタカバーに収容部を形成した後に、収容物の回転を防止する為の突起を前記収容部に設けなければならなかった。
【０００７】
このため、ブリスタカバーの製造が二度加工となり、製造コストが増大するとい問題があった。
【０００８】
また、収容部の表面側から外力が加わった場合、乾電池が、前記突起を乗り越えてしまい、離脱防止効果や回転防止効果が発揮されないばかりか、台紙を変形させてしまい、商品性が低下してしまうという問題点を有していた。
【０００９】
本発明は、このような従来の課題に鑑みてなされたものであり、製造コストを抑えることができるパッケージ構造を提供することを目的とするものである。
【課題を解決するための手段】
【００１０】
前記課題を解決するために本発明の請求項１のパッケージ構造にあっては、断面円形状の収容物を収容する収容部がパッケージを構成する板状の収容部材に膨出形成されるとともに、前記収容部の開口側の部位に内側へ膨出した対を成す突出部が対向して設けられ、前記両突出部が前記収容物の中心より前記開口側から前記収容物に当接して該収容物を前記収容部の膨出側の面に押圧するように両突出部間の間隙寸法が前記収容物の直径より小さく設定されたパッケージ構造において、前記収容部の外側面に内側へ後退する直線状の溝を当該収容部の膨出方向に延設して前記両突出部を形成した。
【００１１】
すなわち、収容物に当接して当該収容物を収容部材に形成された収容部の膨出側の面に押圧する突出部は、前記収容部の外側面より内側へ後退するように形成された直線状の溝で構成されており、この溝は、前記収容部の膨出方向に延在するように構成されている。
【００１２】
このため、板状の収容部材に前記収容部を膨出形成する際に、前記突出部を同時に形成することができる。
【００１３】
また、請求項２のパッケージ構造においては、前記収容物は、側面が球面状に形成された球面部を備え、前記収容部に内側へ膨出した前記突出部を、前記収容物を中心とした左側に設けられた第一左突出部及び第二左突出部と、前記収容物を中心とした右側に設けられた第一右突出部及び第二右突出部で構成するとともに、前記収容物を上方へ付勢するように前記第一左突出部及び前記第一右突出部を、前記球面部にて直径が最大となる直径最大位置より下側から当接する部位に配置し、前記収容物を下方へ付勢するように前記直径最大位置より上側から当接する部位に前記第二左突出部及び前記第二右突出部を配置した。
【００１４】
すなわち、前記突出部は、前記収容物の左側に設けられた第一左突出部及び第二左突出部と、右側に設けられた第一右突出部及び第二右突出部とで構成されており、前記収容物の球面部において、直径が最大となる直径最大位置より下側から当接する部位に配置された前記第一左突出部及び前記第一右突出部によって、前記収容物を上方へ付勢することができる。また、前記直径最大位置より上側から当接する部位に配置された前記第二左突出部及び前記第二右突出部によって、前記収容物を下方へ付勢することができる。
【００１５】
これにより、前記収容物は、前記球面部を上方へ付勢する前記第一左突出部及び前記第一右突出部と、前記球面部を下方へ付勢する前記第二左突出部及び前記第二右突出部とによって、上下から挟まれた状態で固定され、不用意な回転がさらに防止される。
【００１６】
また、本発明の請求項３のパッケージ構造にあっては、断面円形状の収容物を収容する収容部がパッケージを構成する板状の収容部材に膨出形成されるとともに、前記収容部に内側へ膨出した左突出部及び右突出部が前記収容物を中心とした左側及び右側に対向して設けられ、前記左突出部及び右突出部が前記収容物の側面に当接するように両突出部間の間隙寸法が設定されたパッケージ構造において、前記収容物は、側面が球面状に形成された球面部を備え、前記左突出部を第一左突出部及び第二左突出部で構成し、前記右突出部を第一右突出部及び第二右突出部で構成するとともに、前記収容物を上方へ付勢するように前記第一左突出部及び前記第一右突出部を、前記球面部にて直径が最大となる直径最大位置より下側から当接する部位に配置し、前記収容物を下方へ付勢するように前記直径最大位置より上側から当接する部位に前記第二左突出部及び前記第二右突出部を配置する一方、前記収容部の外側面に内側へ後退する直線状の溝を当該収容部の膨出方向に延設して前記両左突出部及び前記両右突出部を形成した。
【００１７】
すなわち、収容部材の収容部に形成された突出部は、前記収容部に収容された収容物の左側に設けられた第一左突出部及び第二左突出部と、右側に設けられた第一右突出部及び第二右突出部とで構成されており、前記収容物の球面部において、直径が最大となる直径最大位置より下側に配置された前記第一左突出部及び前記第一右突出部によって、前記収容物を上方へ付勢することができる。また、前記直径最大位置より上側に配置された前記第二左突出部及び前記第二右突出部によって、前記収容物を下方へ付勢することができる。
【００１８】
これにより、前記収容物は、前記球面部を上方へ付勢する前記第一左突出部及び前記第一右突出部と、前記球面部を下方へ付勢する前記第二左突出部及び前記第二右突出部とによって、上下から挟まれた状態で固定され、不用意な回転が防止される。
【００１９】
そして、前記両左突出部及び前記両右突出部は、前記収容部の外側面より内側へ後退するように形成された直線状の溝で構成されており、この溝は、前記収容部の膨出方向に延在するように構成されている。
【００２０】
このため、板状の収容部材に前記収容部を膨出形成する際に、前記各突出部を同時に形成することができる。
【００２１】
さらに、本発明の請求項４のパッケージ構造にあっては、断面円形状の収容物を収容する収容部がパッケージを構成する板状の収容部材に膨出形成されるとともに、前記収容部に内側へ膨出した左突出部及び右突出部が前記収容物を中心とした左側及び右側に対向して設けられ、前記左突出部及び右突出部が前記収容物の側面に当接するように両突出部間の間隙寸法が設定されたパッケージ構造において、前記収容物は、側面が球面状に形成された球面部を備え、前記収容物を前記収容部の上方又は下方の壁面へ付勢するように前記左突出部及び前記右突出部を、前記球面部にて直径が最大となる直径最大位置より下側から当接する部位又は上側から当接する部位に配置する一方、前記収容部の外側面に内側へ後退する直線状の溝を当該収容部の膨出方向に延設して前記両突出部を形成した。
【００２２】
すなわち、収容部材の収容部に形成された左突出部は、前記収容部に収容された収容物の左側に設けられており、右突出部は、前記収容物の左側に設けられている。また、前記左突出部及び前記右突出部は、前記収容部の球面部において直径が最大となる直径最大位置より下側から当接する部位又は上側から当接する部位に配置されており、前記収容物は、前記収容部の上方又は下方の壁面へ付勢される。
【００２３】
これにより、前記収容物は、前記収容部の上方の壁面又は下方の壁面へ付勢された状態で固定され、不用意な回転が防止される。
【００２４】
そして、前記左突出部及び前記右突出部は、前記収容部の外側面より内側へ後退するように形成された直線状の溝で構成されており、この溝は、前記収容部の膨出方向に延在するように構成されている。
【００２５】
このため、板状の収容部材に前記収容部を膨出形成する際に、前記各突出部を同時に形成することができる。
【発明の効果】
【００２６】
以上説明したように本発明の請求項１のパッケージ構造にあっては、板状の収容部材に収容部を膨出形成する際に、収容物の不用意な回転を防止する突出部を同時に形成することができる。
【００２７】
このため、ブリスタカバーに収容部を形成した後に、回転防止用の突起を収容部の側面に形成しなければならなかった従来と比較して、二度加工が不要となり、製造コストを抑えることができる。
【００２８】
また、膨出部側の外側から力が加わった場合でも、収容物が、台紙側にずれてしまうことがなく、回転防止効果が維持されるとともに、台紙を変形させてしまい、商品性が低下してしまうことがない。
【００２９】
また、請求項２のパッケージ構造においては、収容物の左側に第一左突出部及び第二左突出部を設け、右側に第一右突出部及び第二右突出部を設けるとともに、前記収容物の球面部における直径最大位置の下側に配置された前記第一左突出部及び前記第一右突出部で前記収容物を上方へ付勢し、前記直径最大位置より上側に配置された前記第二左突出部及び前記第二右突出部で前記収容物を下方へ付勢することによって、前記収容物を上下から挟んだ状態で固定することができる。
【００３０】
これにより、前記収容物の回転防止効果を得ることができ、前記第一左突出部及び前記第一右突出部と前記第二左突出部及び前記第二右突出部との挟持力によって、前記収容物の不用意な回転を、さらに防止することができる。
【００３１】
また、本発明の請求項３のパッケージ構造にあっては、収容物の左側に第一左突出部及び第二左突出部を設け、右側に第一右突出部及び第二右突出部を設けるとともに、前記収容物の球面部における直径最大位置の下側に配置された前記第一左突出部及び前記第一右突出部で前記収容物を上方へ付勢し、前記直径最大位置の上側に配置された前記第二左突出部及び前記第二右突出部で前記収容物を下方へ付勢することによって、前記収容物を上下から挟んだ状態で固定することができる。
【００３２】
これにより、前記収容物の不用意な回転を防止することができる。
【００３３】
そして、前記両左突出部及び前記両右突出部は、前記収容部の外側面より内側へ後退するように形成された直線状の溝で構成されており、この溝は、前記収容部の膨出方向に延在するように構成されている。このため、板状の収容部材に前記収容部を膨出形成する際に、前記各突出部を同時に形成することができる。
【００３４】
したがって、ブリスタカバーに収容部を形成した後に、回転防止用の突起を収容部の側面に形成しなければならなかった従来と比較して、二度加工が不要となり、製造コストを抑えることができる。
【００３５】
さらに、本発明の請求項４のパッケージ構造にあっては、収容物の左側に配置された左突出部及び右側に配置された右突出部は、前記収容部の球面部において直径が最大となる直径最大位置より下側又は上側から当接する部位に配置されており、前記両突出部によって、前記収容物を前記収容部の上方又は下方の壁面へ付勢することができる。
【００３６】
このため、前記収容物を、前記収容部の上方の壁面又は下方の壁面へ付勢した状態で固定することができ、不用意な回転を防止することができる。
【００３７】
そして、前記左突出部及び前記右突出部は、前記収容部の外側面より内側へ後退するように形成された直線状の溝で構成されており、この溝は、前記収容部の膨出方向に延在するように構成されている。このため、板状の収容部材に前記収容部を膨出形成する際に、前記各突出部を同時に形成することができる。
【００３８】
したがって、ブリスタカバーに収容部を形成した後に、回転防止用の突起を収容部の側面に形成しなければならなかった従来と比較して、二度加工が不要となり、製造コストを抑えることができる。
【発明を実施するための最良の形態】
【００３９】
（第一の実施の形態）
【００４０】
以下、本発明の第一の実施の形態を図に従って説明する。図１は、本実施の形態にかかるパッケージ構造を備えたパッケージ１を示す図であり、該パッケージ１は、収容物としての製品２を収容して陳列する際に使用するものである。
【００４１】
このパッケージ１は、図２にも示すように、表面側を構成する収容部材１１と、裏面側を構成する台紙１２とによって構成されている。
【００４２】
前記製品２としては、例えば、洗浄剤が挙げられ、該洗浄剤は、液状薬剤が収容された容器体２１によって構成されている。この容器体２１は、瓢箪形状に形成されており、上部の上方球形部２２と下部の下方球形部２３との間には、括れ部２４が形成されている。
【００４３】
前記両球形部２２，２３は、やや縦長の球形状に形成されており、前記上方球形部２２の側面は球面状の上方球面部３１を構成するとともに、前記下方球形部２３の側面は球面状の下方球面部３２を構成している。前記下方球形部２３は、前記上方球形部２２より大径に形成されており、当該製品２は、前記下方球形部２３における直径Ｄが最大となるように構成されている。
【００４４】
前記容器体２１は、薬剤を噴出する為のノズルを上部に備えており、該ノズルは、有底円筒状のキャップ４１によって覆われている。これにより、瓢箪形状の前記容器体２１と有底円筒状の前記キャップ４１からなる前記製品２は、横断面が円形状に形成されている。また、前記キャップ４１の上面が当該製品２の天面４２を構成しており、前記容器体２１の下面が当該製品２の底面４３を構成している。
【００４５】
前記パッケージ１の前記収容部材１１は、図１にも示したように、無色透明の板状に形成されており、当該収容部材１１の平坦部５１の左寄りの部位には、前記製品２の形状に適合した当該製品２を収容する為の収容部５２が表面側へ膨出形成さている。これにより、前記収容部５２は、当該収容部材１１の表面５３側へ膨出するとともに、裏面５４側へ向けて開口しており、この開口部５５から前記製品２を前記収容部５２内に収容した状態で、当該製品２を位置決めできるように構成されている。
【００４６】
この収容部５２は、図２に示したように、前記容器体２１が配置される部位が瓢箪形状に形成されており、この部位には、前記下方球形部２３が配置される大径の大径部６１と、前記上方球形部２２が配置される小径の小径部６２とが形成されている。また、前記収容部５２には、前記キャップ４１が配置されるキャップ収容部６３が形成されており、該キャップ収容部６３は、前記小径部６２の上部に設けられている。
【００４７】
前記収容部５２の前記大径部６１は、図２に示したように、膨出方向Ｂの表面５３が前記容器体２１の前記下方球形部２３に応じた球面状に形成されており、前記小径部６２及び前記キャップ収容部６３は、前記表面５３が円柱面状に形成されている。また、前記収容部５２の底面６５と天面６６は、図２の（ａ）に示したように、前記平坦部５１より前記膨出方向Ｂへ向けて起立しており、図２の（ｂ）に示したように、前記収容部５２の左側面７１と右側面７２は、前記平坦部５１より前記膨出方向Ｂへ向けて起立するとともに、膨出方向へ向かうに従って対向する側面７１，７２へ向けて傾斜するように構成されている。
【００４８】
前記大径部６１の左側面７１には、図１に示したように、内側へ向けて突出した第一左突出部８１と第二左突出部８２とが設けられており、前記大径部６１の右側面７２にも、内側へ向けて突出した第一右突出部８３と第二右突出部８４とが設けられている。前記第一左突出部８１と前記第一右突出部８３とは、対向した部位に設けられており、前記第二左突出部８２と前記第二右突出部８４も対向した部位に設けられている。
【００４９】
また、前記小径部６２の左側面７１には、内側へ向けて突出した第三左突出部９１が設けられており、前記小径部６２の右側面７２にも、内側へ向けて突出した第三右突出部９２が設けられている。前記第三左突出部９１と前記第三右突出部９２は、対向した部位に設けられている。
【００５０】
前記各突出部８１〜８４、９１，９２は、図２の（ａ）に示したように、前記収容部５２の開口部５５側の部位に設けられており、前記各突出部８１〜８４，９１，９２が前記製品２の中心より前記開口部５５側から当該製品２に当接し、該製品２を前記収容部５２の膨出方向Ｂの前記表面５３に押圧するように、対向した各突出部８１〜８４，９１，９２間の各間隙寸法９５が、前記製品２への当接部位での当接位置直径ｄより小さくなるように設定されている（図２の（ｂ）参照）。
【００５１】
これにより、図２の（ｂ）に示したように、前記収容部５２に収容された前記製品２は、裏面５４側が前記各突出部８１〜８４，９１，９２で押された状態で不用意な離脱が防止されるとともに、前記収容部５２の前記表面５３に押圧されることによって不用意な回転が防止され、前記容器体２１に印刷された製品名等を前記表面５３側に配置した状態に維持できるように構成されている。
【００５２】
前記大径部６１に設けられた前記第一左突出部８１及び前記第一右突出部８３は、図１に示したように、前記収容部５２内に位置決めされた前記製品２における前記容器体２１の前記下方球形部２３において、直径Ｄが最大となる直径最大位置１０１より下側に配置されており、前記第一左突出部８１及び前記第一右突出部８３は前記直径最大位置１０１の下側から前記下方球面部３２に当接することによって、前記製品２を上方へ向けて付勢するように構成されている。
【００５３】
また、前記大径部６１に設けられた前記第二左突出部８２及び前記第二右突出部８４は、前記収容部５２内に位置決めされた前記製品２の前記容器体２１における前記下方球形部２３の前記直径最大位置１０１より上側に配置されており、前記第二左突出部８２及び前記第二右突出部８４が前記直径最大位置１０１の上側から前記下方球面部３２に当接することによって、前記製品２を下方へ向けて付勢するように構成されている。
【００５４】
これにより、前記製品２の前記容器体２１は、前記下方球面部３２が前記第一左突出部８１及び前記第一右突出部８３と、前記第二左突出部８２及び前記第二右突出部８４とによって上下から挟持された状態で固定されるよう構成されている。
【００５５】
また、前記小径部６２に設けられた前記第三左突出部９１及び前記第三右突出部９２は、前記収容部５２内に位置決めされた前記製品２における前記容器体２１の前記上方球形部２２に側方から当接する部位に配置されている。
【００５６】
そして、前記第一左突出部８１は、前記収容部５２の外側面に形成された内側へ後退する第一左溝１１１で構成されており、前記第二左突出部８２は、前記収容部５２の外側面に形成された内側へ後退する第二左溝１１２で構成されている。また、前記第三左突出部９１は、前記収容部５２の外側面に形成された内側へ後退する第三左溝１１３で構成されており、前記第一右突出部８３は、前記収容部５２の外側面に形成された内側へ後退する第一右溝１１４で構成されている。さらに、前記第二右突出部８４は、前記収容部５２の外側面に形成された内側へ後退する第二右溝１１５で構成されており、前記第三右突出部９２は、前記収容部５２の外側面に形成された内側へ後退する第三右溝１１６で構成されている。
【００５７】
前記各突出部８１〜８４，９１，９２を構成する前記各溝１１１〜１１６は、直線状に形成されており、当該収容部５２の膨出方向Ｂに延設されている。
【００５８】
これにより、板状の収容部材１１を金型で押圧してシート成型する際に、前記収容部５２の開口方向及び該収容部５２の膨出方向Ｂ並びに前記各溝１１１〜１１６の延在方向を金型の抜き方向に設定することで、前記収容部５２の成型と前記各突出部８１〜８４，９１，９２の成型とを同時に行うことができる。
【００５９】
そして、前記収容部材１１は、前記収容部５２の上部に円形の吊り下げ穴１２１が形成されており、前記平坦部５１の左縁部及び右縁部には、裏面側に折り返された折返し部１２２，１２３が形成されている。また、前記平坦部５１の下縁には、下方へ延出する舌片１２４が連設されており、該舌片１２４の先端からは、係止部１２５，１２５が横方向に延出している。
【００６０】
これにより、前記収容部材１１の前記平坦部５１に適合した長方形状の前記台紙１２を、前記収容部材１１の裏面５４に沿って配置し、当該台紙１２の左縁部及び右縁部を前記折返し部１２２，１２３に挟持するとともに、前記台紙１２に設けられた図外の切り欠きに前記舌片１２４の係止部１２５，１２５を挿入することによって、当該台紙１２を前記収容部材１１の裏面５４に固定できるように構成されており、この固定状態において、前記収容部５２の前記開口部５５を閉鎖できるように構成されている。
【００６１】
以上の構成にかかる本実施の形態において、収容した製品２に当接して当該製品２を収容部材１１に形成された収容部５２の膨出方向Ｂの表面５３に押圧する各突出部８１〜８４，９１，９２は、前記収容部５２の外側面より内側へ後退するように形成された直線状の各溝１１１〜１１６で構成されており、これらの溝１１１〜１１６は、前記収容部５２の膨出方向Ｂに延在するように構成されている。
【００６２】
このため、板状の収容部材１１を金型で押圧してシート成型する際に、前記収容部５２の開口方向及び該収容部５２の膨出方向Ｂ並びに前記各溝１１１〜１１６の延在方向を金型の抜き方向に設定することで、前記収容部５２の成型と前記各突出部８１〜８４，９１，９２の成型とを同時に行うことができる。
【００６３】
したがって、ブリスタカバーに収容部を形成した後に、回転防止用の突起を収容部の側面に形成しなければならなかった従来と比較して、二度加工が不要となり、製造コストを抑えることができる。
【００６４】
また、前記収容部５２の外側から力が加わった場合でも、収容物である製品２が前記各突出部８１〜８４，９１，９２を乗り越えて、前記台紙１２側にずれてしまうことがなく、回転防止効果が維持されるとともに、前記台紙１２を変形させてしまい、商品性が低下してしまうことがない。
【００６５】
また、本実施の形態では、前記製品２の左側に配置された第一左突出部８１及び第二左突出部８２と、右側に配置された第一右突出部８３及び第二右突出部８４とを備えており、前記製品２の前記下方球形部２３において、直径Ｄが最大となる直径最大位置１０１より下側に配置された前記第一左突出部８１及び前記第一右突出部８３が下方球面部３２の下側から当接することによって、前記製品２を上方へ付勢することができる。そして、前記直径最大位置１０１より上側に配置された前記第二左突出部８２及び前記第二右突出部８４が前記下方球面部３２の上側から当接するによって、前記製品２を下方へ付勢することができる。
【００６６】
これにより、前記下方球面部３２を上方へ付勢する前記第一左突出部８１及び前記第一右突出部８３と、前記下方球面部２３を下方へ付勢する前記第二左突出部８２及び前記第二右突出部８４とによって、前記製品２を上下から挟持した状態で固定することができる。
【００６７】
したがって、前記製品２の不用意な回転防止効果を、さらに高めることができる。
【００６８】
このとき、前記製品２の前記括れ部２４を境とした上方の上方球形部２２は、前記第三左突出部９１及び前記第三右突出部９２によって前記収容部５２の表面５３に押圧されている。このため、前記表面５３に接する前記下方球形部２３の接点を中心とした回転力が前記製品２に生じた場合であっても、前記表面２からの前記上方球形部２２の浮きを防止することができる。
【００６９】
なお、本実施の形態では、前記収容部５２の前記大径部６１の左側面７１に、内側へ向けて突出した第一左突出部８１と第二左突出部８２とを設けるとともに、前記大径部６１の右側面７２に、内側へ向けて突出した第一右突出部８３と第二右突出部８４とを設け、前記第一左突出部８１及び前記第一右突出部８３と、前記第二左突出部８２及び前記第二右突出部８４とによって前記製品２を上下から挟持する固定構造を備えたパッケージ１を例に挙げて説明したが、これに限定されるものではなく、前記収容部５２に設けられた各突出部８１〜８４，９１，９２は、いずれか一組であっても良い。
【００７０】
また、本実施の形態では、前記収容部５２の左側面７１に、内側へ向けて突出した第一左突出部８１と第二左突出部８２と第三左突出部９１を設けるとともに、右側面７２に、内側へ向けて突出した第一右突出部８３と第二右突出部８４と第三右突出部９２とを設けた場合に付いて説明したが、これに限定されるものでは無い。
【００７１】
（第二の実施の形態）
【００７２】
すなわち、図３及び図４に示す第二の実施の形態のパッケージ２０１のように、前述した第三左突出部９１及び第三右突出部９２を省略することもできる。
【００７３】
この場合であっても、第一の実施の形態と同様の作用・効果を得ることができる。
【００７４】
（第三の実施の形態）
【００７５】
以下、本発明の第三の実施の形態を図に従って説明する。図５は、本実施の形態にかかるパッケージ構造を備えたパッケージ５０１を示す図であり、該パッケージ５０１は、収容物としての製品５０２を収容して陳列する際に使用するものである。
【００７６】
このパッケージ５０１は、図６にも示すように、表面側を構成する収容部材５１１と、裏面側を構成する台紙５１２とによって構成されている。
【００７７】
前記製品５０２としては、例えば、洗浄剤が挙げられ、該洗浄剤は、液状薬剤が収容された容器体５２１によって構成されている。この容器体５２１は、瓢箪形状に形成されており、上部の上方球形部５２２と下部の下方球形部５２３との間には、括れ部５２４が形成されている。
【００７８】
前記両球形部５２２，５２３は、やや縦長の球形状に形成されており、前記上方球形部５２２の側面は球面状の上方球面部５３１を構成するとともに、前記下方球形部５２３の側面は球面状の下方球面部５３２を構成している。前記下方球形部５２３は、図１に示したように、前記上方球形部５２２より大径に形成されており、当該製品５０２は、前記下方球形部５２３における直径Ｄが最大となるように構成されている。
【００７９】
前記容器体５２１は、薬剤を噴出する為のノズルを上部に備えており、該ノズルは、有底円筒状のキャップ５４１によって覆われている。これにより、瓢箪形状の前記容器体５２１と有底円筒状の前記キャップ５４１からなる前記製品５０２は、横断面が円形状に形成されている。また、前記キャップ５４１の上面が当該製品５０２の天面５４２を構成しており、前記容器体５２１の下面が当該製品５０２の底面５４３を構成している。
【００８０】
前記パッケージ５０１の前記収容部材５１１は、無色透明の板状に形成されており、当該収容部材５１１の平坦部５５１の左寄りの部位には、前記製品５０２の形状に適合した当該製品５０２を収容する為の収容部５５２が表面側へ膨出形成さている（図２参照）。これにより、前記収容部５５２は、当該収容部材５１１の表面５５３側へ膨出するとともに、裏面５５４側へ向けて開口しており、この開口部５５５から前記製品５０２を前記収容部５５２内に収容した状態で、当該製品５０２を位置決めできるように構成されている。
【００８１】
この収容部５５２は、前記容器体５２１が配置される部位が瓢箪形状に形成されており、この部位には、前記下方球形部５２３が配置される大径の大径部５６１と、前記上方球形部５２２が配置される小径の小径部５６２とが形成されている。また、前記収容部５５２には、前記キャップ５４１が配置されるキャップ収容部５６３が形成されており、該キャップ収容部５６３は、前記小径部５６２の上部に設けられている。
【００８２】
前記収容部５５２の前記大径部５６１は、図２に示したように、膨出方向Ｂの表面５５３が前記容器体５２１の前記下方球形部５２３に応じた球面状に形成されており、前記小径部５６２及び前記キャップ収容部５６３は、前記表面５５３が円柱面状に形成されている。また、前記収容部５５２の底面５６５と天面５６６は、図６の（ａ）に示したように、前記平坦部５５１より前記膨出方向Ｂへ向けて起立しており、前記収容部５５２の左側面５７１と右側面５７２は、図２の（ｂ）に示したように、前記平坦部５５１より前記膨出方向Ｂへ向けて起立するとともに、膨出方向へ向かうに従って対向する側面５７１，５７２へ向けて傾斜するように構成されている。
【００８３】
前記大径部５６１の左側面５７１には、図５に示したように、内側へ向けて突出した左突出部５８１が設けられており、前記大径部５６１の右側面５７２にも、内側へ向けて突出した右突出部５８３が設けられている。前記左突出部５８１と前記第一右突出部５８３とは、互いに対向した部位に設けられている。
【００８４】
前記各突出部５８１，５８３は、図６の（ａ）に示したように、前記収容部５５２の開口部５５５側の部位に設けられており、前記各突出部５８１，５８３が前記製品５０２の中心より前記開口部５５５側から当該製品５０２に当接し、該製品５０２を前記収容部５５２の膨出方向Ｂの前記表面５５３に押圧するように、対向した各突出部５８１，５８３間の各間隙寸法５９５が、前記製品５０２への当接部位での当接位置直径ｄより小さくなるように設定されている（図６の（ｂ）参照）。
【００８５】
これにより、図６の（ｂ）に示したように、前記収容部５５２に収容された前記製品５０２は、裏面５５４側が前記各突出部５８１，５８３で押された状態で不用意な離脱が防止されるとともに、前記収容部５５２の前記表面５５３に押圧されることによって不用意な回転が防止され、前記容器体５２１に印刷された製品名等を前記表面５５３側に配置した状態に維持できるように構成されている。
【００８６】
前記大径部５６１に設けられた前記左突出部５８１及び前記右突出部５８３は、図５に示したように、前記収容部５５２内に位置決めされた前記製品５０２における前記容器体５２１の前記下方球形部５２３において、直径Ｄが最大となる直径最大位置６０１より下側から当接する部位に配置されており、前記左突出部５８１及び前記右突出部５８３が前記直径最大位置６０１の下側から前記下方球面部５３２に当接することによって、前記製品５０２を上方へ向けて付勢するように構成されている。
【００８７】
これにより、前記製品２の天面５４２は、前記収容部５５２の上方の壁面である天面５６６に付勢され押圧されており、両天面５４２，５６６が面接することで、不用意な回転を防止できるように構成されている。
【００８８】
そして、前記左突出部５８１は、前記収容部５５２の外側面に形成された内側へ後退する左溝６１１で構成されており、前記右突出部５８３は、前記収容部５５２の外側面に形成された内側へ後退する右溝６１４で構成されている。前記各突出部５８１，５８３を構成する前記各溝６１１，６１４は、図６の（ａ）に示したように、直線状に形成されており、当該収容部５５２の膨出方向Ｂに延設されている。
【００８９】
これにより、板状の収容部材５１１を金型で押圧してシート成型する際に、前記収容部５５２の開口方向及び該収容部５２の膨出方向Ｂ並びに前記各溝６１１，６１４の延在方向を金型の抜き方向に設定することで、前記収容部５５２の成型と前記各突出部６１１，６１４の成型とを同時に行うことができる。
【００９０】
そして、前記収容部材５１１は、前記収容部５５２の上部に円形の吊り下げ穴６２１が形成されており、前記平坦部５５１の左縁部及び右縁部には、裏面側に折り返された折返し部６２２，６２３が形成されている。また、前記平坦部５５１の下縁には、下方へ延出する舌片６２４が連設されており、該舌片６２４の先端からは、係止部６２５，６２５が横方向に延出している。
【００９１】
これにより、前記収容部材５１１の前記平坦部５５１に適合した長方形状の前記台紙５１２を、前記収容部材５１１の裏面５５４に沿って配置し、当該台紙５１２の左縁部及び右縁部を前記折返し部６２２，６２３に挟持するとともに、前記台紙５１２に設けられた図外の切り欠きに前記舌片６２４の係止部６２５，６２５を挿入することによって、当該台紙５１２を前記収容部材５１１の裏面５５４に固定できるように構成されており、この固定状態において、前記収容部５５２の前記開口部５５５を閉鎖できるように構成されている。
【００９２】
以上の構成にかかる本実施の形態において、収容した製品５０２に当接して当該製品５０２を収容部材５１１に形成された収容部５５２の膨出方向Ｂの表面５５３に押圧する各突出部５８１，５８３は、前記収容部５５２の外側面より内側へ後退するように形成された直線状の各溝６１１，６１４で構成されており、これらの溝６１１，６１４は、前記収容部５５２の膨出方向Ｂに延在するように構成されている。
【００９３】
このため、板状の収容部材５１１を金型で押圧してシート成型する際に、前記収容部５５２の開口方向及び該収容部５２の膨出方向Ｂ並びに前記各溝６１１，６１４の延在方向を金型の抜き方向に設定することで、前記収容部５５２の成型と前記各突出部５８１，５８３の成型とを同時に行うことができる。
【００９４】
したがって、ブリスタカバーに収容部を形成した後に、回転防止用の突起を収容部の側面に形成しなければならなかった従来と比較して、二度加工が不要となり、製造コストを抑えることができる。
【００９５】
また、前記収容部５５２の外側から力が加わった場合でも、収容物である製品５０２が前記各突出部５８１，５８３を乗り越えて、前記台紙５１２側にずれてしまうことがなく、回転防止効果が維持されるとともに、前記台紙５１２を変形させてしまい、商品性が低下してしまうことがない。
【００９６】
また、本実施の形態では、前記収容部５５２に位置決めされた前記製品５０２に当接する前記左突出部５８１及び前記右突出部５８３は、前記収容部５５２に位置決めされた前記製品５０２の下方球形部２３において、直径が最大となる直径最大位置６０１より下側に配置されており、下方球面部５３２に対して前記直径最大位置６０１より下側から当接するように構成されている。
【００９７】
これにより、前記製品５０２は、前記下方球面部５３２が前記左突出部５８１及び前記右突出部５８３から上方へ向けた付勢力を受けることによって、その天面５４２が前記収容部５５２の天面５６６に押圧される。
【００９８】
これによっても、前記製品５０２を、前記収容部５５２の上方の壁面である前記天面５６６に付勢した状態で固定することができ、不用意な回転を防止することができる。
【００９９】
なお、本実施の形態では、前記製品５０２に当接する前記左突出部５８１及び前記右突出部５８３を直径最大位置６０１より下側に配置することで、前記製品２の天面５４２を、前記収容部５５２の天面５６６に付勢して押圧する場合について説明したがこれに限定されるものでは無く、前記左突出部５８１及び前記右突出部５８３を前記直径最大位置６０１より上側に配置して、前記製品５０２の底面５４３を前記収容部５５２の底面５６５に付勢して押圧することで、製品５０２の回転を防止しても良い。
【図面の簡単な説明】
【０１００】
【図１】本発明の第一の実施の形態を示す図である。
【図２】（ａ）は同実施の形態を示す側面図であり、（ｂ）は（ａ）のＡ−Ａ線に沿った断面図である。
【図３】本発明の第二の実施の形態を示す図である。
【図４】（ａ）は同実施の形態を示す側面図であり、（ｂ）は（ａ）のＢ−Ｂ線に沿った断面図である。
【図５】本発明の第三の実施の形態を示す図である。
【図６】（ａ）は同実施の形態を示す側面図であり、（ｂ）は（ａ）のＣ−Ｃ線に沿った断面図である。
【符号の説明】
【０１０１】
１    パッケージ
２    製品
１１    収容部材
３２    下方球面部
５２    収容部
５３    表面
５４    裏面
８１    第一左突出部
８２    第二左突出部
８３    第一右突出部
８４    第二右突出部
９１    第三左突出部
９２    第三右突出部
９５    間隙寸法
１０１    直径最大値
１１１    第一左溝
１１２    第二左溝
１１４    第一右溝
１１５    第一右溝
２０１    パッケージ
５０１    パッケージ
５０２    製品
５１１    収容部材
５３２    下方球面部
５４２    天面
５４３    底面
５５２    収容部
５５３    表面
５５４    裏面
５６５    底面
５６６    天面
５８１    左突出部
５８３    右突出部
５９５    間隙寸法
６０１    直径最大値
６１１    左溝
６１４    右溝
Ｂ    膨出方向
ｄ    当接位置直径
Ｄ    直径
【図１】
2009102043.tif 000003
【図２】
2009102043.tif 000004
【図３】
2009102043.tif 000005
【図４】
2009102043.tif 000006
【図５】
2009102043.tif 000007
【図６】
2009102043.tif 000008